(57)【要約】【課題】演算回路を用いて構成した画像信号処理回路を備え、さらに画像表示品質の低下を抑えつつデータ電極駆動回路の電力を抑制する。【解決手段】画像信号処理回路は、画像信号を、第１電力削減係数に応じて消費電力を抑制した第１画像信号に変更する第１電力削減部と、第１画像信号を、第２電力削減係数に応じて消費電力を抑制した表示ドコードに変換する第２電力削減部と、画像信号を基底コードに変換した場合の消費電力を第１電力として推定する仮想電力推定部と、表示コードに基づき消費電力を第２電力として算出するデータ電力算出部と、第２電力が大きいほど第１削減係数および第２削減係数を大きく設定するとともに第１電力が大きいときの第１削減係数の比率を第１電力が小さいときよりも大きくなるように第１電力削減係数および第２電力削減係数を設定する削減定数設定部とを備えた。【選択図】図６
2013148765.tif 000002
【特許請求の範囲】
【請求項１】
階調重みの定められた複数のサブフィールドで１フィールドを構成し、画像信号をサブフィールドそれぞれの点灯または非点灯の組合せを示すサブフィールドコードに変換する画像信号処理回路と、前記サブフィールドコードに基づきそれぞれの画素の点灯または非点灯を制御して画像を表示するデータ電極駆動回路とを備えた画像表示装置であって、
前記画像信号処理回路は、
前記画像信号を、第１電力削減係数に応じて前記データ電極駆動回路の消費電力を抑制した第１画像信号に変更する第１電力削減部と、
前記第１画像信号を、第２電力削減係数に応じて前記データ電極駆動回路の消費電力を抑制したサブフィールドコードに変換する第２電力削減部と、
点灯するサブフィールドのうち最も階調重みの大きいサブフィールドの階調重みよりも小さい階調重みをもつ全てのサブフィールドが点灯するサブフィールドとなるサブフィールドコードのみを用いて、前記画像信号をサブフィールドコードに変換したと仮定した場合の前記データ電極駆動回路の消費電力を第１電力として推定する仮想電力推定部と、
前記第２電力削減部で変換されたサブフィールドコードに基づき前記データ電極駆動回路の消費電力を第２電力として算出するデータ電力算出部と、
前記第１電力と前記第２電力にもとづき、前記第１電力削減係数および前記第２電力削減係数を設定する削減定数設定部とを備え、
前記削減定数設定部は、前記第２電力が大きいほど前記第１削減係数および前記第２削減係数を大きく設定するとともに、前記第１電力が大きいときの前記第２削減係数に対する前記第１削減係数の比率を、前記第１電力が小さいときの前記第２削減係数に対する前記第１削減係数の比率よりも大きくなるように前記第１削減係数および前記第２削減係数を設定することを特徴とする画像表示装置。
【請求項２】
前記第１電力削減部は、前記第１削減係数に基づき画像信号の空間周波数の高い成分を抑制する２次元ローパスフィルタであることを特徴とする請求項１に記載の画像表示装置。
【請求項３】
前記第２電力削減部は、前記第２削減係数に基づき画像表示に用いるサブフィールドコードの数を制限して画像信号をサブフィールドコードに変換することを特徴とする請求項１に記載の画像表示装置。
【発明の詳細な説明】
【技術分野】
【０００１】
本発明は、点灯または非点灯の２値制御を組み合わせて階調を表示する画像表示装置に関する。
【背景技術】
【０００２】
点灯または非点灯の２値制御を行う表示装置として代表的なプラズマディスプレイパネル（以下、「パネル」と略記する）は、１対の走査電極と維持電極とからなる表示電極対が複数形成された前面基板と、複数の平行なデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させる。
【０００３】
点灯または非点灯の２値制御を組み合わせて階調を表示する方法としては、１フィールドを点灯輝度の異なる複数のサブフィールドに分割し、点灯させるサブフィールドの組み合わせによって所望の階調を表示する、いわゆるサブフィールド法が一般的である。各サブフィールドは書込み期間および維持期間を有する。書込み期間では画像信号に応じた書込みパルスをデータ電極に印加して点灯させるべき放電セルで書込み放電を発生し壁電荷を形成する。そして維持期間では、走査電極と維持電極とからなる表示電極対にあらかじめ定められた数の維持パルスを印加して壁電荷を形成した放電セルで維持放電を発生させ、維持パルスの数に応じた輝度で点灯させる。
【０００４】
プラズマディスプレイ装置は、入力した画像信号を、放電セルのサブフィールド毎の点灯・非点灯を示すサブフィールドコードに変換する画像信号処理回路を備えている。画像信号処理回路は、例えばＲＯＭ等を用いた変換テーブルを用いて構成され、画像信号の１つの入力レベルに対して１つのサブフィールドコードが出力される。
【０００５】
ところが、動画擬似輪郭の抑制と滑らかな階調表示とを両立させるために、画像信号に応じて複数の変換テーブルを切り替える必要性が生じてきた。このような要望にこたえる方法として、例えば複数の変換テーブルを備え、映像信号の最小値および平均値からしきい値を算出し、このしきい値に基づき複数の変換テーブルの中から１つの変換テーブルを選択して、画像信号をサブフィールドコードに変換するプラズマディスプレイ装置が特許文献１に開示されている。
【０００６】
またプラズマディスプレイ装置は、各電極を駆動するための電極駆動回路を備え、必要な駆動電圧波形をそれぞれの電極に印加する。この中で、データ電極駆動回路は画像信号に基づいて多数のデータ電極毎に独立に書込み動作のための書込みパルスを印加する必要があるので、通常は専用ＩＣ（「データドライバ」と呼称する）を用いて構成されている。データ電極駆動回路側からパネルを見ると、各データ電極は隣接するデータ電極、走査電極および維持電極との間の浮遊容量をもつ容量性の負荷である。したがって各データ電極に駆動電圧波形を印加するためにはこの容量を充放電しなければならず、そのための消費電力が必要となる。しかし、駆動回路をＩＣ化するためにはデータ電極駆動回路の消費電力を極力小さく抑える必要があった。
【０００７】
データ電極駆動回路の消費電力を抑える方法として、例えば特許文献２には、階調重みの最も小さいサブフィールドから書込み動作を禁止してデータ電極駆動回路の消費電力を制限する方法が開示されている。
【先行技術文献】
【特許文献】
【０００８】
【特許文献１】特開２０００−０９８９５９号公報
【特許文献２】特開２０００−０６６６３８号公報
【発明の概要】
【発明が解決しようとする課題】
【０００９】
しかしながら、パネルの大画面化、高精細度化、画像表示品質のさらなる向上とともに、多様な放送方式への対応や多機能対応が求められる一方で、データ電極駆動回路の電力もますます増える傾向にある。これらの要請をみたすための変換テーブルの数が膨大になり、変換テーブルを用いて画像信号処理回路を構成することが現実的ではなくなってきた。あるいは、変換テーブルを用いて構成した画像信号処理回路では、これらの要望にこたえることが難しくなってきた。またデータ電極駆動回路の消費電力を抑えるためにサブフィールドの書込み動作を単純に禁止すると、画像信号に忠実な画像表示ができなくなる、滑らかな階調表現ができなくなる等、画像表示品質が低下するという課題もあった。
【００１０】
本発明はこれらの課題に鑑みなされたものであり、演算回路を用いて構成した画像信号処理回路を備え、さらに画像表示品質の低下を抑えつつデータ電極駆動回路の電力を抑制する機能を有する画像表示装置を提供することを目的とする。
【課題を解決するための手段】
【００１１】
上記目的を達成するために本発明は、階調重みの定められた複数のサブフィールドで１フィールドを構成し、画像信号をサブフィールドそれぞれの点灯または非点灯の組合せを示すサブフィールドコードに変換する画像信号処理回路と、サブフィールドコードに基づきそれぞれの画素の点灯または非点灯を制御して画像を表示するデータ電極駆動回路とを備えた画像表示装置であって、画像信号処理回路は、画像信号を、第１電力削減係数に応じてデータ電極駆動回路の消費電力を抑制した第１画像信号に変更する第１電力削減部と、第１画像信号を、第２電力削減係数に応じてデータ電極駆動回路の消費電力を抑制したサブフィールドコードに変換する第２電力削減部と、点灯するサブフィールドのうち最も階調重みの大きいサブフィールドの階調重みよりも小さい階調重みをもつ全てのサブフィールドが点灯するサブフィールドとなるサブフィールドコードのみを用いて、画像信号をサブフィールドコードに変換したと仮定した場合のデータ電極駆動回路の消費電力を第１電力として推定する仮想電力推定部と、第２電力削減部で変換されたサブフィールドコードに基づきデータ電極駆動回路の消費電力を第２電力として算出するデータ電力算出部と、第１電力と第２電力にもとづき第１電力削減係数および第２電力削減係数を設定する削減定数設定部とを備え、削減定数設定部は、第２電力が大きいほど第１削減係数および第２削減係数を大きく設定するとともに、第１電力が大きいときの第２削減係数に対する第１削減係数の比率を、第１電力が小さいときの第２削減係数に対する第１削減係数の比率よりも大きくなるように第１削減係数および第２削減係数を設定することを特徴とする。この構成により、演算回路を用いて構成した画像信号処理回路を備え、さらに画像表示品質の低下を抑えつつデータ電極駆動回路の電力を抑制する機能を有する画像表示装置を提供することができる。
【００１２】
また本発明の画像表示装置の第１電力削減部は、第１削減係数に基づき画像信号の空間周波数の高い成分を抑制する２次元ローパスフィルタであってもよい。
【００１３】
また本発明の画像表示装置の第２電力削減部は、第２削減係数に基づき画像表示に用いるサブフィールドコードの数を制限して画像信号をサブフィールドコードに変換する構成であってもよい。
【発明の効果】
【００１４】
本発明によれば、演算回路を用いて構成した画像信号処理回路を備え、さらに画像表示品質の低下を抑えつつデータ電極駆動回路の電力を抑制する機能を有する画像表示装置を提供することが可能となる。
【図面の簡単な説明】
【００１５】
【図１】本発明の実施の形態における画像表示装置のパネルの分解斜視図である。
【図２】同画像表示装置のパネルの電極配列図である。
【図３】同画像表示装置のパネルの各電極に印加する駆動電圧波形図である。
【図４】１フィールド期間を８個のサブフィールドで構成した場合のコードセットの一例を示す図である。
【図５】同画像表示装置の回路ブロック図である。
【図６】同画像表示装置の画像信号処理回路のブロック図である。
【図７】同画像表示装置の第１電力削減部の回路ブロック図である。
【図８】同画像表示装置の第１電力削減部の動作説明図である。
【図９】同画像表示装置の画像表示装置の第２電力削減部のブロック図である。
【図１０】同画像表示装置の基底コードセットの一例を示す図である。
【図１１】同画像表示装置のルール追加部の回路ブロック図である。
【図１２Ａ】同画像表示装置のルールにより生成される中間コードセットの一例を示す図である。
【図１２Ｂ】同画像表示装置のルールにより生成される中間コードセットの一例を示す図である。
【図１２Ｃ】同画像表示装置のルールにより生成される中間コードセットの一例を示す図である。
【図１２Ｄ】同画像表示装置のルール追加部で追加された第２のルールにより生成される中間コードセットの一例を示す図である。
【図１２Ｅ】同画像表示装置のルール追加部で追加された第２のルールにより生成される中間コードセットの一例を示す図である。
【図１３】同画像表示装置のデータ電力算出部の回路ブロック図である。
【図１４Ａ】同画像表示装置の削減係数設定部の動作を説明する図である。
【図１４Ｂ】同画像表示装置の削減係数設定部の動作を説明する図である。
【発明を実施するための形態】
【００１６】
以下、本発明の実施の形態における画像表示装置について、プラズマディスプレイパネルを用いたプラズマディスプレイ装置を例に、図面を用いて説明する。
【００１７】
（実施の形態１）
図１は、本発明の実施の形態における画像表示装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に点灯する蛍光体層２５が設けられている。
【００１８】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが点灯することにより画像が表示される。
【００１９】
図２は、本発明の実施の形態における画像表示装置のパネル１０の電極配列図である。パネル１０には、行方向に長いｎ本の走査電極１２およびｎ本の維持電極１３が配列され、列方向に長いｍ本のデータ電極２２が配列されている。そして１対の走査電極１２および維持電極１３と１つのデータ電極２２とが交差した部分に放電セルが形成され、放電セルは放電空間内にｍ×ｎ個形成されている。
【００２０】
次に、パネル１０を駆動するための駆動電圧波形とその動作について説明する。プラズマディスプレイ装置は、サブフィールド法、すなわち階調重みの定められた複数のサブフィールドで１フィールドを構成し、サブフィールドのそれぞれで各放電セルの点灯・非点灯を制御して階調を表示する。
【００２１】
それぞれのサブフィールドは初期化期間、書込み期間および維持期間を有する。初期化期間では初期化放電を発生し、続く書込み放電に必要な壁電荷を各電極上に形成する初期化動作を行う。書込み期間では、点灯させるべき放電セルで選択的に書込み放電を発生し壁電荷を形成する書込み動作を行う。そして維持期間では、サブフィールド毎にあらかじめ決められた階調重みに応じた数の維持パルスを表示電極対に交互に印加して、書込み放電を発生した放電セルで維持放電を発生させて点灯させる。
【００２２】
図３は、本発明の実施の形態における画像表示装置のパネル１０の各電極に印加する駆動電圧波形図である。
【００２３】
サブフィールドＳＦ１の初期化期間Ｔｉの前半部では、データ電極２２、維持電極１３にそれぞれ電圧０（Ｖ）を印加し、走査電極１２には、電圧Ｖｉ１から電圧Ｖｉ２まで緩やかに上昇する上り傾斜波形電圧を印加する。すると走査電極１２と維持電極１３、走査電極１２とデータ電極２２との間でそれぞれ微弱な初期化放電が起こる。そして走査電極１２上に負の壁電圧が蓄積されるとともに、データ電極２２上および維持電極１３上には正の壁電圧が蓄積される。ここで、電極上の壁電圧とは電極を覆う誘電体層上、保護層上、蛍光体層上等に蓄積された壁電荷により生じる電圧を表す。
【００２４】
初期化期間Ｔｉの後半部では、維持電極１３に正の電圧Ｖｅを印加し、走査電極１２には、電圧Ｖｉ３からＶｉ４まで緩やかに下降する下り傾斜波形電圧を印加する。すると走査電極１２と維持電極１３、走査電極１２とデータ電極２２との間でそれぞれ微弱な初期化放電が起こる。そして走査電極１２上の負の壁電圧および維持電極１３上の正の壁電圧が弱められ、データ電極２２上の正の壁電圧は書込み動作に適した値に調整される。
【００２５】
なお、初期化期間の動作としては、サブフィールドＳＦ２の初期化期間に示したように、電圧Ｖｉ４に向かって緩やかに下降する下り傾斜波形電圧を走査電極１２に印加するだけでもよい。この場合には、直前のサブフィールドで維持放電を行った放電セルで選択的に初期化放電が発生する。
【００２６】
続く書込み期間Ｔｗでは、維持電極１３に電圧Ｖｅを印加し、走査電極１２に電圧Ｖｃを印加する。
【００２７】
次に、１行目の走査電極１２に電圧Ｖａの走査パルスを印加するとともに、データ電極２２のうち１行目に点灯させるべき放電セルのデータ電極２２に電圧Ｖｄの書込みパルスを印加する。するとデータ電極２２上と走査電極１２上との交差部の電圧差は放電開始電圧を超え、データ電極２２と走査電極１２との間および維持電極１３と走査電極１２との間に書込み放電が発生する。そして走査電極１２上に正の壁電圧が蓄積され、維持電極１３上に負の壁電圧が蓄積され、データ電極２２上にも負の壁電圧が蓄積される。
【００２８】
このようにして、１行目に点灯させるべき放電セルで書込み放電を起こして各電極上に壁電圧を蓄積する書込み動作が行われる。一方、書込みパルスを印加しなかったデータ電極２２と走査電極１２との交差部の電圧は放電開始電圧を超えないので、書込み放電は発生しない。以上の書込み動作をｎ行目の放電セルに至るまで行い、書込み期間Ｔｗが終了する。
【００２９】
続く維持期間Ｔｓでは、維持電極１３に電圧０（Ｖ）を印加するとともに走査電極１２に電圧Ｖｓの維持パルスを印加する。すると書込み放電を起こした放電セルでは、走査電極１２上と維持電極１３上との電圧差が放電開始電圧を超え、走査電極１２と維持電極１３との間で維持放電が発生し蛍光体層２５が発光して放電セルが点灯する。そして走査電極１２上に負の壁電圧が蓄積され、維持電極１３上に正の壁電圧が蓄積される。さらにデータ電極２２上にも正の壁電圧が蓄積される。
【００３０】
ただし、書込み期間Ｔｗにおいて書込み放電を起こさなかった放電セルでは維持放電は発生せず、初期化期間Ｔｉの終了時における壁電圧が保たれる。
【００３１】
続いて、走査電極１２には電圧０（Ｖ）を、維持電極１３には電圧Ｖｓの維持パルスをそれぞれ印加する。すると、維持放電を起こした放電セルでは再び維持放電が起こり、維持電極１３上に負の壁電圧が蓄積され走査電極１２上に正の壁電圧が蓄積される。以降、階調重みに応じた数の維持パルスを走査電極１２と維持電極１３とに交互に印加して、放電セルを点灯させる。
【００３２】
そして、維持期間Ｔｓの最後には、維持電極１３を電圧０（Ｖ）に戻した後、走査電極１２に電圧Ｖｒまで緩やかに上昇する上り傾斜波形電圧を印加する。すると、維持放電を起こした放電セルの維持電極１３と走査電極１２との間で弱い放電が起こり、走査電極１２上と維持電極１３上との間の壁電圧が弱められる。その後、走査電極１２に印加する電圧を電圧０（Ｖ）に戻す。こうして維持期間Ｔｓが終了する。
【００３３】
続くサブフィールドＳＦ２およびそれ以降のサブフィールドの動作は維持パルスの数を除いて上述した動作とほぼ同様である。
【００３４】
なお、本実施の形態において各電極に印加する電圧値は、例えば、電圧Ｖｉ１＝１４０（Ｖ）、電圧Ｖｉ２＝３４０（Ｖ）、電圧Ｖｉ３＝２００（Ｖ）、電圧Ｖｉ４＝−１９０（Ｖ）、電圧Ｖｃ＝−６０（Ｖ）、電圧Ｖａ＝−２００（Ｖ）、電圧Ｖｓ＝２００（Ｖ）、電圧Ｖｒ＝２００（Ｖ）、電圧Ｖｅ＝１３０（Ｖ）、電圧Ｖｄ＝７０（Ｖ）である。ただしこれらの値は、単に一例を挙げたに過ぎず、パネル１０の特性やプラズマディスプレイ装置の仕様等に合わせて、適宜最適な値に設定することが望ましい。
【００３５】
このようにしてサブフィールド法においては、１フィールドをあらかじめ階調重みの定められた複数のサブフィールドで構成し、放電セルを点灯させるサブフィールドの組合せにより階調を表示している。以下、サブフィールドのそれぞれの点灯または非点灯の組合せを「サブフィールドコード」または単に「コード」と呼び、複数のコードの集合を「コードセット」と呼ぶ。
【００３６】
なお表示画像を構成する各画素はパネル１０の画像表示面を構成する各放電セルに対応しているので、以下では、「画素」と「放電セル」とを同じ意味で使用する。また説明を簡単にするために、黒を表示したときの階調を「０」とし、階調重み「Ｎ」に対応する階調を「Ｎ」と表記する。また図面では、「階調重み」を単に「重み」と記載している。
【００３７】
図４は、１フィールド期間を８個のサブフィールドで構成した場合のコードセットの一例を示す図である。ここで最も左の列に示した数値は階調を示し、その右側にはその階調を表示する際に各サブフィールドで放電セルを点灯させるか否か、すなわちサブフィールドコードを示している。ここで空欄は非点灯、「１」は点灯を示す。例えば図４において、階調「２」を表示するためには、サブフィールドＳＦ２でのみ放電セルを点灯させればよく、この場合のサブフィールドコードは「０１００００００」である。また階調「１４」を表示するためには、サブフィールドＳＦ１、ＳＦ２、ＳＦ３およびＳＦ５で放電セルを点灯させればよく、この場合のサブフィールドコードは「１１１０１０００」である。
【００３８】
図５は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３９】
画像信号処理回路３１は、画像信号をサブフィールドそれぞれの点灯または非点灯の組合せを示すサブフィールドコードに変換する。すなわち、画像信号を入力し、階調を表示するためのサブフィールドコードである表示コードを出力する。詳細は後述するが、本実施の形態においては画像信号から表示コードへの変換を、変換テーブルを用いるのではなく、論理計算を用いて実行している。
【００４０】
データ電極駆動回路３２は、サブフィールドコードに基づきそれぞれの画素の点灯または非点灯を制御して画像を表示する。すなわち、画像信号処理回路３１から出力された表示コードを各データ電極Ｄ１〜Ｄｍに対応する書込みパルスに変換し、各データ電極Ｄ１〜Ｄｍに印加する。ここで、データ電極駆動回路３２は複数個の専用ＩＣ（以下、「データドライバ」と呼称する）を用いて構成されている。このように多数のデータ電極を駆動する駆動回路をＩＣ化することにより回路をコンパクトにまとめることができ、実装面積も小さくなりコストも下げることができる。しかしデータドライバの許容電力損失には制限があるので、データ電極駆動回路３２の消費電力がこの制限を超えないように抑制しなければならない。
【００４１】
本実施の形態においては、ｍ本のデータ電極を１６個のデータドライバ３２（１）〜３２（１６）を用いて駆動する構成であるとして説明する。しかし本発明は、データドライバの数等に限定されるものではない。
【００４２】
タイミング発生回路３５は水平同期信号、垂直同期信号に基づき、各回路ブロックの動作を制御する各種のタイミング信号を発生し、それぞれの回路ブロックへ供給する。走査電極駆動回路３３は、タイミング信号に基づき図３に示した駆動電圧波形を作成し、走査電極１２のそれぞれに印加する。維持電極駆動回路３４は、タイミング信号に基づき図３に示した駆動電圧波形を作成し、維持電極１３のそれぞれに印加する。
【００４３】
図６は、本発明の実施の形態におけるプラズマディスプレイ装置３０の画像信号処理回路３１のブロック図である。画像信号処理回路３１は、第１電力削減部４１、第２電力削減部４２、データ電力算出部４３、仮想電力推定部４４、削減係数設定部４５とを有する。
【００４４】
第１電力削減部４１は、画像信号を、第１電力削減係数Ｋに応じてデータ電極駆動回路３２の消費電力を抑制した第１画像信号に変更する。本実施の形態においては、第１電力削減部４１を、２次元ローパスフィルタ（以下、「ＬＰＦ」と略記する）を用いて実現している。そして第１削減係数Ｋが大きくなるほど２次元ＬＰＦは強くなり、出力される第１画像信号は空間周波数の低い画像となる。
【００４５】
図７は、本発明の実施の形態におけるプラズマディスプレイ装置３０の第１電力削減部４１の回路ブロック図である。第１電力削減部４１は、垂直遅延器５１、５２と、水平遅延器５３〜５８と、乗算器６０〜６８と、加算器６９とを備えている。
【００４６】
水平遅延器５３からは１画素分遅延した画像信号が出力され、水平遅延器５４からは２画素分遅延した画像信号が出力される。また垂直遅延器５１からは１走査線分遅延した画像信号が出力され、水平遅延器５５からは１走査線分と１画素分遅延した画像信号が出力され、水平遅延器５６からは１走査線分と２画素分遅延した画像信号が出力される。また垂直遅延器５２からは２走査線分遅延した画像信号が出力され、水平遅延器５７からは２走査線分と１画素分遅延した画像信号が出力され、水平遅延器５８からは２走査線分と２画素分遅延した画像信号が出力される。
【００４７】
乗算器６０は入力した画像信号に第１削減係数Ｋを乗じる。乗算器６２、６６、６８も同様に、入力した画像信号に第１削減係数Ｋを乗じる。乗算器６１は入力した画像信号に第１削減係数Ｋの２倍を乗じる。乗算器６３、６５、６７も同様に、入力した画像信号に第１削減係数Ｋの２倍を乗じる。乗算器６４は入力した画像信号に（１−１２Ｋ）を乗じる。なお（１−１２Ｋ）は「１」から第１削減係数Ｋの１２倍を減じた値である。加算器６９は、乗算器６０〜６８の出力を加算する。
【００４８】
図８は、本発明の実施の形態におけるプラズマディスプレイ装置３０の第１電力削減部４１の動作説明図であり、２次元の加重和係数テーブルを示している。水平遅延器５５から出力される１走査線分と１画素分遅延した画像信号に注目すると、第１削減係数Ｋ＝「０」であれば、第１電力削減部４１は、注目画像信号である１走査線分と１画素分遅延した画像信号をそのまま出力する。
【００４９】
また第１削減係数Ｋ＝「１／２５６」であれば、第１電力削減部４１は、（左上の画像信号）×１／２５６＋（上の画像信号）×２／２５６＋（右上の画像信号）×１／２５６＋（左の画像信号）×２／２５６＋（注目画像信号）×２４４／２５６＋（右の画像信号）×２／２５６＋（左下の画像信号）×１／２５６＋（下の画像信号）×２／２５６＋（右下の画像信号）×１／２５６を計算して出力する。
【００５０】
第１電力削減部４１は、第１削減係数Ｋの値に応じて、（左上の画像信号）×Ｋ＋（上の画像信号）×２Ｋ＋（右上の画像信号）×Ｋ＋（左の画像信号）×２Ｋ＋（注目画像信号）×（１−１２Ｋ）＋（右の画像信号）×２Ｋ＋（左下の画像信号）×Ｋ＋（下の画像信号）×２Ｋ＋（右下の画像信号）×１Ｋを計算して出力する。
【００５１】
このようにして第１電力削減部４１は、第１削減係数Ｋに応じて、注目画像信号をその周囲の画素の画像信号を用いて平均化した信号に置き換えることによりＬＰＦ処理を施す。
【００５２】
このように本実施の形態では、第１電力削減部４１を、第１削減係数Ｋに基づき画像信号の空間周波数の高い成分を抑制する２次元ローパスフィルタで構成し、第１削減係数Ｋを大きくすることにより画像信号に強いＬＰＦ処理を施して、データ電極駆動回路３２の消費電力を削減する。
【００５３】
第２電力削減部４２は、第１画像信号を、第２電力削減係数Ｃに応じてデータ電極駆動回路３２の消費電力を抑制したサブフィールドコードに変換する。本実施の形態においては、第１画像信号をサブフィールドコードに変換するとともに、使用するサブフィールドコードの数を第２削減係数Ｃに基づいて制限することにより、データ電極駆動回路３２の消費電力が少なくなるサブフィールドコードに変換する。そして第２削減係数Ｃが大きくなるほど使用するサブフィールドコードの数が少なくなり、データ電極駆動回路３２の消費電力を削減する。
【００５４】
図９は、本発明の実施の形態におけるプラズマディスプレイ装置３０の第２電力削減部４２のブロック図である。第２電力削減部４２は、属性検出部７１と、基底コード生成部７２と、ルール生成部７５と、ルール追加部７６と、上下コード生成部７７と、表示コード選択部８０とを有する。
【００５５】
属性検出部７１は、画像信号とそれを表示する画素の位置との関係を特定するとともに、各画素に対応する画像信号の時間微分、空間微分等に基づき、動画領域・静止画領域の検出、明るさが変化する画像の輪郭部の検出等を行う。そしてそれらを各画素に対応する画像信号の属性として出力する。
【００５６】
基底コード生成部７２は、入力した画像信号の階調（以下、「入力階調」と呼称する）よりも大きい階調をもつ所定のサブフィールドコードを上階調基底コードとして生成する。本実施の形態においては、所定のサブフィールドコードは、点灯するサブフィールドのうち最も階調重みの大きいサブフィールドの階調重みよりも小さい階調をもつ全てのサブフィールドが点灯するサブフィールドとなる基底コードである。したがって基底コード生成部７２は、入力階調よりも大きくかつ最も近い階調をもつ基底コードを上階調基底コードとして生成し出力する。基底コードはサブフィールドコードの基本となるコードであって、階調重みの小さいサブフィールドから順にひとつずつまたは２つずつ点灯させて生成したコードある。またこのようにして生成したコードセットを基底コードセットと呼ぶ。
【００５７】
図１０は、本発明の実施の形態におけるプラズマディスプレイ装置３０の基底コードセットの一例を示す図であり、ＮＴＳＣ規格で用いられることが多い基底コードセットの一例である。この基底コードセットは、階調重みの小さいサブフィールドを先頭に、階調重みが順次大きくなるようにサブフィールドを配列する。そして階調重みの小さいサブフィールドから順にひとつずつ点灯させて生成したコードセットである。したがってこの基底コードセットに含まれる基底コードの数は、（１フィールドを構成するサブフィールドの数＋１）である。
【００５８】
本実施の形態においては、基底コード生成部７２は、基底コード記憶部７３と基底コード選択部７４とを有する。基底コード記憶部７３は、基底コードセットと各基底コードの表示する階調とを記憶している。基底コード選択部７４は、基底コードのそれぞれの階調と入力階調とを比較して、入力階調を超えかつ最も近い階調の基底コードを選択し、上階調基底コードとして出力する。
【００５９】
ルール生成部７５は、入力した画像信号に基づき基底コードに非点灯サブフィールドを追加して新たにサブフィールドコードを生成するための第１のルール（以下、単に「ルール」と呼称する）を生成する。
【００６０】
本実施の形態においては、選択した上階調基底コードに非点灯サブフィールドを追加して画像表示に用いるコードの数を増やすためのルールを、画像信号および画像信号に付随する属性に基づき生成する。しかし無制限に非点灯サブフィールドを追加することはできない。例えば全てのサブフィールドを非点灯サブフィールドとして生成されたコードの階調は「０」となるが、このようなルールは許されない。また階調重みの大きいサブフィールドに多くの非点灯サブフィールドを追加することはできない。
【００６１】
ルール生成部７５で生成が許されるルールは、上階調基底コードの階調以下であって、入力階調以下でありかつ最も近い階調の基底コードの階調（下階調基底コード）以上の階調をもつコードを生成するルールである。ルール生成部７５で生成されるルールは、詳細は後述するが、１つめに追加する非点灯サブフィールドに関するルール、２つめに追加する非点灯サブフィールドに関するルール、非点灯を禁止するサブフィールドに関するルールで記述される。
【００６２】
ルール追加部７６は、外部から入力する第２削減係数Ｃに基づき、ルール生成部７５で生成されたルールで生成可能なサブフィールドコードの数の上限を制限するための第２のルールを追加する。第２のルールは、非点灯を禁止するサブフィールドに関するルールとして記述される。そして非点灯を禁止するサブフィールドが多くなるほど画像表示に使用できるサブフィールドコードの数が減少し、データ電極駆動回路３２の消費電力は抑制される。
【００６３】
図１１は、本発明の実施の形態におけるプラズマディスプレイ装置３０のルール追加部７６の回路ブロック図である。ルール追加部７６は、乱数発生器９１、加算器９２、小数切捨器９３、減算器９４、選択器９５を有する。
【００６４】
第２削減係数Ｃの逆数の値１／Ｃは、おおむね中間コード生成部７８で生成可能な中間コードの数に等しく、第２削減係数Ｃの値が大きくなるほど中間コード生成部７８で生成可能な中間階調の数は減少する。したがって第２削減係数Ｃの値が小さいと画像表示に用いるサブフィールドコードの数が多くなり、滑らかな階調表示が可能となるが、データ電極駆動回路３２の消費電力は大きくなる。そして第２削減係数Ｃの値が大きくなるにつれて画像表示に用いるサブフィールドコードの数が制限されて表示できる階調も少なくなるが、データ電極駆動回路３２の消費電力の最大値は低く抑えられる。本実施の形態においては、第２削減係数Ｃは「０」より大きく「１」以下の実数である。
【００６５】
乱数発生器９１は「０」以上「１」未満の乱数ｒｎｄを発生する。加算器９２は、第２削減係数Ｃの逆数１／Ｃと乱数ｒｎｄとを加算する。小数切捨器９３は、加算器９２から出力される数値の小数部分を切捨てて整数部分を出力する。減算器９４は、基底コードセットにおける上階調基底コードの階調重みの順序Ｎｓから小数切捨器９３の出力を減じ、さらに「１」を減じる。そしてこの値が正であればそのまま出力し、正でなければ「１」を出力する。したがって減算器９４の出力Ｎｐは、
Ｎｐ＝Ｍａｘ（１，Ｎｓ−ＩＮＴ（１／Ｃ＋ｒｎｄ）−１）
であり、正の整数である。ここで基底コードの階調重みの順序Ｎｓとは、注目する基底コードの階調重みが、基底コードセットに含まれる基底コードの中でＮｓ番目に小さいことを示す。例えば図１０に示した基底コードセットの中の基底コード「１１１１１１００」の順序Ｎｓは「７」である。また、Ｍａｘ（ｘ，ｙ）はｘとｙの大きいほうの値を示し、ＩＮＴ（ｚ）はｚの整数部分の値を示す。
【００６６】
選択器９５は、基底コードセットの中から、階調重みがＮｐ番目に小さい基底コードを選択し中間コード生成部７８に出力する。こうして選択された基底コードの「１」に対応するサブフィールドが非点灯を禁止するサブフィールドである。
【００６７】
例えば、図１０に示した基底コードセットの場合、Ｎｐ＝３であれば選択される基底コードは「１１００００００」であり、サブフィールドＳＦ１、ＳＦ２が非点灯禁止サブフィールドである。またＮｐ＝６であれば、選択される基底コードは「１１１１１０００」であり、サブフィールドＳＦ１〜ＳＦ５が非点灯禁止サブフィールドである。
【００６８】
このように本実施の形態においては、ルール追加部７６で追加される第２のルールは、基底コード生成部７２が生成した基底コードよりも小さい階調を持つ基底コードの点灯サブフィールドを全て非点灯禁止サブフィールドとするルールである。
【００６９】
上下コード生成部７７は、基底コードに第１のルールおよび第２のルールを適用して新たに生成できるサブフィールドコードの中から、入力階調より大きくかつ最も近い階調をもつサブフィールドコードおよび入力階調以下でかつ最も近い階調をもつサブフィールドコードをそれぞれ上階調コードおよび下階調コードとして生成する。
【００７０】
本実施の形態においては、基底コード生成部７２で生成した上階調基底コードにルール生成部７５で生成した第１のルールおよびルール追加部７６で生成した第２のルールを適用して、入力階調より大きくかつ最も近い階調をもつ上階調コード、および入力階調以下でかつ最も近い階調をもつ下階調コードを生成する。
【００７１】
本実施の形態においては、上下コード生成部７７は、中間コード生成部７８と、上下コード選択部７９とを有する。
【００７２】
中間コード生成部７８は、上階調基底コードに非点灯サブフィールドを追加して画像表示に使用するコードを生成する。こうして生成されたコードを「中間コード」と呼称する。また中間コードにもとの上階調基底コードを加えたテーブルを「中間コードセット」と称する。
【００７３】
図１２Ａ〜図１２Ｃは、本発明の実施の形態におけるプラズマディスプレイ装置３０のルールにより生成される中間コードセットの一例を示す図である。図１２Ａは、１つめに追加する非点灯サブフィールドに関するルール「非点灯サブフィールドを１つ追加する」というルールを基底コード「１１１１１１００」に適用して生成した中間コードセットを示す図である。この例では基底コードに６つの点灯サブフィールドＳＦ１〜ＳＦ６が存在するので、このうちの１つを非点灯サブフィールドに変更することにより６個の中間コードが得られる。ただし中間コード「１１１１１０００」は基底コードに等しく、それ以外の５個のコードが新たに生成された中間コードである。
【００７４】
図１２Ｂは、１つめに追加する非点灯サブフィールドに関するルール「非点灯サブフィールドを１つ追加する」に加えて、２つめに追加する非点灯サブフィールドに関するルール「新たに生成された中間コードのうちで階調の最も小さいコードのサブフィールドＳＦ２に非点灯サブフィールドを追加する」というルールを、基底コード「１１１１１１００」に適用して生成した中間コードセットを示す図である。この例では６個の中間コードが新たに生成される。
【００７５】
図１２Ｃは、１つめに追加する非点灯サブフィールドに関するルール「非点灯サブフィールドを１つ追加する」に加えて、非点灯を禁止するサブフィールドに関するルール、「サブフィールドＳＦ１、ＳＦ２の非点灯を禁止する」というルールを基底コード「１１１１１１００」に適用して生成した中間コードセットを示す図である。この例では３個の中間コードが新たに生成される。
【００７６】
このように中間コード生成部７８は、基底コード生成部７２が生成した上階調基底コードにルール生成部７５で生成されたルールを適用して中間コードセットを生成する。
【００７７】
次にルール生成部７５で作成されたルールに、ルール追加部７６で作成された第２のルールが追加されて生成された中間コードセットについて、例をあげて説明する。以下では基底コード生成部７２では図１０に示した基底コードセットを適用し、ルール生成部７５で「非点灯サブフィールドを１つ追加する」というルールが作成されたとする。
【００７８】
図１２Ｄ、図１２Ｅは、本発明の実施の形態におけるプラズマディスプレイ装置３０のルール追加部７６で追加された第２のルールにより生成される中間コードセットの一例を示す図である。
【００７９】
図１２Ｄに示す例について説明する。基底コード選択部７４が上階調基底コードとして７番目の基底コード「１１１１１１００」を選択し、このときの第２削減係数Ｃが「０．５」、すなわち第２削減係数Ｃの逆数１／Ｃが「２」であったとする。すると、ルール追加部７６の出力Ｎｐは、
Ｎｐ＝Ｍａｘ（１，Ｎｓ−ＩＮＴ（１／Ｃ＋ｒｎｄ）−１）＝７−２−１＝４
となる。したがって、選択器９５は、基底コードセットのうちの階調重みが４番目に小さい基底コード「１１１０００００」を選択し、サブフィールドＳＦ１〜ＳＦ３を非点灯禁止とする。その結果、中間コード生成部７８で新たに追加される中間コードは、図１２Ｄに示すように、階調「２４」をもつコード「１１１１０１００」と階調「２７」をもつコード「１１１０１１００」との２個である。
【００８０】
次に図１２Ｅに示す例について説明する。基底コード選択部７４が上階調基底コードとして７番目の基底コード「１１１１１１００」を選択し、このときの第２削減係数Ｃが「１」、すなわち第２削減係数Ｃの逆数１／Ｃが「１」であったとする。すると、ルール追加部７６の出力Ｎｐは、
Ｎｐ＝Ｍａｘ（１，Ｎｓ−ＩＮＴ（１／Ｃ＋ｒｎｄ）−１）＝７−１−１＝５
となる。したがって、選択器９５は、基底コードセットのうちの階調重みが５番目に小さい基底コード「１１１１００００」を選択し、サブフィールドＳＦ１〜ＳＦ４を非点灯禁止とする。その結果、中間コード生成部７８で新たに追加される中間コードは、図１２Ｅに示すように、階調「２４」をもつコード「１１１１０１００」のみの１個である。
【００８１】
さらに別の例について説明する。基底コード選択部７４が上階調基底コードとして７番目の基底コード「１１１１１１００」を選択し、このときの第２削減係数Ｃの逆数１／Ｃが「２」と「１」との間の値であったとする。すると、乱数ｒｎｄが加算されるために、ルール追加部７６の出力Ｎｐは所定の確率で「２」または「１」となる。そのため中間コード生成部７８で新たに追加される中間コードは、所定の確率で２個、または１個となる。そして第２削減係数Ｃの逆数１／Ｃが「２」に近いと新たに２個の中間コードが生成される確率が高くなり、第２削減係数Ｃの逆数１／Ｃが「１」に近いと新たに１個の中間コードが生成される確率が高くなる。
【００８２】
このように本実施の形態においては、乱数ｒｎｄを用いることにより、中間コード生成部７８で生成する中間階調の数の上限値を、第２削減係数Ｃに基づき連続的に制限している。
【００８３】
上下コード選択部７９は、中間コード生成部７８で生成した中間コードセットに含まれるコードそれぞれの階調と入力階調とを比較して、入力階調より大きくかつ最も近い階調をもつコードを上階調コードとして選択し出力する。また入力階調以下でかつ最も近い階調をもつコードを下階調コードとして選択し出力する。
【００８４】
表示コード選択部８０は、ディザ選択部８２と、誤差拡散部８４と、表示コード決定部８６とを有する。ディザ選択部８２は、画像信号およびその属性に基づき、記憶している複数のディザパターンの中から１つのディザパターンを選択する。また対応する画像信号の画素の位置に基づき、選択したディザパターンの対応するディザ要素を選択して出力し、さらに選択したディザ要素に上階調コードの階調と下階調コードの階調との差を乗じてディザ値を求める。誤差拡散部８４は、対応する画素に加算するための誤差を表示コード決定部８６に出力すると共に、表示コード決定部８６から出力される誤差を周辺画素に拡散する。
【００８５】
表示コード決定部８６は、入力階調とディザ値と誤差とを加算して表示すべき階調を算出する。そして上階調コードおよび下階調コードのうち、表示すべき階調に近いほうのコードを表示コードとして選択する。このとき表示すべき階調と選択した表示コードの階調との差を求め、新しく発生した誤差として誤差拡散部８４に出力する。
【００８６】
このようにして本実施の形態における第２電力削減部４２は、論理計算を用いて画像信号をサブフィールドコードに変換するとともに、第２削減係数Ｃに基づき画像表示に用いるサブフィールドコードの数を制限して画像信号をサブフィールドコードに変換する。これにより、データ電極駆動回路３２の消費電力が少なくなるサブフィールドコードに変換している。
【００８７】
また上述したように、第２削減係数Ｃの逆数の値１／Ｃはおおむね中間コード生成部７８で生成可能な中間コードの数に等しくなる。したがって階調の大きい基底コードであっても階調重みの小さい基底コードであっても、そこから生成される中間階調の数はほぼ同じであり、明るい領域での画像の滑らかさと暗い領域での画像の滑らかさとがほぼ同じである。
【００８８】
以上に説明したように、第１電力削減部４１および第２電力削減部４２は、ともにデータ電極駆動回路３２の消費電力を抑制する機能を有する。しかし第１電力削減部４１は画像信号そのものを変更して精細度を下げることにより消費電力を抑制し、第２電力削減部４２は画像信号そのものを変更するのではなく表示可能な階調数を減らすことにより消費電力を抑制する点が異なる。
【００８９】
データ電力算出部４３は、第２電力削減部４２で変換されたサブフィールドコードに基づきデータ電極駆動回路３２の消費電力を第２電力として算出する。データ電力算出部４３は、実際の画像表示に用いる表示コードに基づき算出するため、データ電極駆動回路３２の実際の消費電力に近い値を求めることができる。そのため、第２電力を、実電力とも呼称する。
【００９０】
データ電力算出部４３は、データドライバ３２（１）〜３２（１６）のそれぞれの消費電力を計算し、その最大値を出力する。図１３は本発明の実施の形態におけるプラズマディスプレイ装置３０のデータ電力算出部４３の回路ブロック図である。
【００９１】
データ電力算出部４３は、データドライバ３２（１）〜３２（１６）のそれぞれに対する消費電力を計算するドライバ電力算出部１０１（１）〜１０１（１６）と、ドライバ電力算出部１０１（１）〜１０１（１６）のそれぞれの出力を所定の時間累積するドライバ電力累積部１０２（１）〜１０２（１６）と、ドライバ電力累積部１０２（１）〜１０２（１６）のそれぞれの出力の最大値を選択する最大電力選択部１０４とを備えている。
【００９２】
データ電極駆動回路３２の消費電力は、上述したように、データ電極２２のそれぞれに印加する電圧の変化の回数が多くなると大きくなる。加えてデータ電極２２に隣接するデータ電極２２に印加する電圧が逆位相で変化するとさらに大きくなる。このような関係から、例えばサブフィールドのそれぞれに対応する表示コードの各ビットに対して、上下および左右の画素の排他的論理和の総和を計算することにより、データ電極２２を駆動するために必要な電力を算出することができる。本実施の形態におけるドライバ電力算出部１０１（１）〜１０１（１６）はこのような方法でデータドライバ３２（１）〜３２（１６）のそれぞれの電力を算出している。また、ドライバ電力累積部１０２（１）〜１０２（１６）はデータドライバ３２（１）〜３２（１６）の温度上昇との相関をとるために設けられているが省略してもよい。このような構成により、データ電力算出部４３はデータドライバ３２（１）〜３２（１６）それぞれの消費電力を算出し、それらの最大値を出力する。
【００９３】
仮想電力推定部４４は、点灯するサブフィールドのうち最も階調重みの大きいサブフィールドの階調重みよりも小さい階調重みをもつ全てのサブフィールドが点灯するサブフィールドとなるサブフィールドコード、すなわち基底コードのみを用いて、画像信号をサブフィールドコードに変換したと仮定した場合のデータ電極駆動回路３２の消費電力を第１電力として推定する。そのため、第１電力を仮想電力とも呼称する。
【００９４】
仮想電力の推定方法としては、画像信号を実際に基底コードに変換して、変換された基底コードを用いて、データ電力算出部４３と同様に排他的論理和の総和を用いて推定してもよい。しかし画像信号を基底コードに変換した場合の点灯サブフィールド数に画像信号を変換し、注目画素に隣接する画素の点灯サブフィールド数に基づき注目画素の仮想電力を推定し、その値を全画素にわたって合算することで仮想電力を推定してもよい。なおここでもデータドライバ毎に仮想電力を推定し、その最大値を出力する。
【００９５】
削減係数設定部４５は、第１電力と第２電力にもとづき、第１電力削減係数Ｋおよび第２電力削減係数Ｃを設定する。このとき、第２電力が大きいほど第１削減係数Ｋおよび第２削減係数Ｃを大きく設定するとともに、第１電力が大きいときの第２削減係数Ｃに対する第１削減係数Ｋの比率を、第１電力が小さいときの第２削減係数Ｃに対する第１削減係数Ｋの比率よりも大きくなるように第１削減係数Ｃおよび第２削減係数Ｋを設定する。
【００９６】
図１４Ａ、図１４Ｂは、本発明の実施の形態におけるプラズマディスプレイ装置３０の削減係数設定部４５の動作を説明する図であり、横軸は実電力を示し、縦軸は第１削減係数Ｋおよび第２削減係数Ｃを示している。このように、データ電力算出部４３で算出された実電力が大きくなるほど、第１削減係数Ｋおよび第２削減係数Ｃも大きくなるように設定する。ただし仮想電力が小さいときは、図１４Ａに示したように、第２電力削減部４２の電力削減を優先させるために第１削減係数Ｋに対して第２削減係数Ｃを大きく設定する。また仮想電力が大きいときは、図１４Ｂに示したように、第１電力削減部４１の電力削減を優先させるために第２削減係数Ｃに対して第１削減係数Ｋを大きく設定する。
【００９７】
仮想電力は画像表示に使用できるサブフィールドコードの数が最も少ない基底コードセットを用いた場合のデータ電極駆動回路３２の電力を推定している。そのため、仮想電力が大きい場合には、第２電力削減部４２でサブフィールドコードの数を削減しても電力削減効果が少ないと考えられるので、第１電力削減部４１を優先させて効率よく電力を削減させる。また仮想電力が小さい場合には、第２電力削減部４２を優先させて、画像信号そのものを変更することなく画像信号に忠実な画像表示を行っている。以上により、演算回路を用いて画像信号をサブフィールドコードへ変換するとともに、画像表示品質の低下を抑えつつデータ電極駆動回路の電力を抑制することができる。
【００９８】
なお、本実施の形態に示した各回路ブロックは、上述した各動作を行う電気回路として構成されてもよく、上述した各動作を行うようにプログラムされたプロセッサ等を用いて構成してもよい。
【００９９】
また、本実施の形態において用いた具体的な各数値は、単に一例を挙げたに過ぎず、画像表示装置の仕様等に合わせて、適宜最適な値に設定することが望ましい。
【産業上の利用可能性】
【０１００】
本発明は、演算回路を用いて構成した画像信号処理回路を備え、さらに画像表示品質の低下を抑えつつデータ電極駆動回路の電力を抑制する機能を有し、画像表示装置として有用である。
【符号の説明】
【０１０１】
１０    パネル
１２    走査電極
１３    維持電極
２２    データ電極
３０    プラズマディスプレイ装置
３１    画像信号処理回路
４１    第１電力削減部
４２    第２電力削減部
４３    データ電力算出部
４４    仮想電力推定部
４５    削減係数設定部
５１，５２    垂直遅延器
５３，５４，５５，５６，５７，５８    基水平遅延器
６０〜６８    乗算器
６９    加算器
７２    基底コード生成部
７３    基底コード記憶部
７４    基底コード選択部
７５    ルール生成部
７６    ルール追加部
７７    上下コード生成部
７８    中間コード生成部
７９    上下コード選択部
８０    表示コード選択部
８２    ディザ選択部
８４    誤差拡散部
８６    表示コード決定部
９１    乱数発生器
９２    加算器
９３    少数切捨器
９４    減算器
９５    選択器
９０    拡散巡回部
１０１    ドライバ電力算出部
１０２    ドライバ電力累積部
１０４    最大電力選択部
【図１】
2013148765.tif 000003
【図２】
2013148765.tif 000004
【図３】
2013148765.tif 000005
【図４】
2013148765.tif 000006
【図５】
2013148765.tif 000007
【図６】
2013148765.tif 000008
【図７】
2013148765.tif 000009
【図８】
2013148765.tif 000010
【図９】
2013148765.tif 000011
【図１０】
2013148765.tif 000012
【図１１】
2013148765.tif 000013
【図１２Ａ】
2013148765.tif 000014
【図１２Ｂ】
2013148765.tif 000015
【図１２Ｃ】
2013148765.tif 000016
【図１２Ｄ】
2013148765.tif 000017
【図１２Ｅ】
2013148765.tif 000018
【図１３】
2013148765.tif 000019
【図１４Ａ】
2013148765.tif 000020
【図１４Ｂ】
2013148765.tif 000021